(57)【要約】【課題】ケーブル接続構造を安定的に固定することができる技術を提供する。【解決手段】電力ケーブルの端末に設けられオス型端子を有するオス型コネクタと接続されるメス型コネクタであって、オス型端子と接続されるメス型端子と、メス型端子の外周を覆うように設けられる筒状のブッシングと、ブッシングに外嵌されるフランジと、ブッシングの軸方向に沿ってフランジに装着され、オス型コネクタが挿入されたときに、弾性力を利用してオス型コネクタを連結固定する連結筒ユニットと、を有し、フランジは、ブッシングが軸方向に貫通して挿入されるブッシング挿入穴と、ブッシング挿入穴の径方向に拡径した鍔部と、鍔部に開設され、所定の固定箇所に該フランジをネジ締結するボルトが挿入されるボルト挿入孔と、を有する。【選択図】図２
2019169995.tif 000002
【特許請求の範囲】
【請求項１】
電力ケーブルの端末に設けられオス型端子を有するオス型コネクタと接続されるメス型コネクタであって、
前記オス型端子と接続されるメス型端子と、
前記メス型端子の外周を覆うように設けられる筒状のブッシングと、
前記ブッシングに外嵌されるフランジと、
前記ブッシングの軸方向に沿って前記フランジに装着され、前記オス型コネクタが挿入されたときに、弾性力を利用して前記オス型コネクタを連結固定する連結筒ユニットと、
を有し、
前記フランジは、
前記ブッシングが軸方向に貫通して挿入されるブッシング挿入穴と、
前記ブッシング挿入穴の径方向に拡径した鍔部と、
前記鍔部に開設され、所定の固定箇所に該フランジをネジ締結するボルトが挿入されるボルト挿入孔と、
を有する
メス型コネクタ。
【請求項２】
前記ボルト挿入孔は、前記ボルトが該ボルト挿入孔内に挿入され、且つ、前記連結筒ユニットが前記フランジに装着されたときに、前記ブッシングの軸方向から見て、前記ボルトの少なくとも一部が前記連結筒ユニットと重なるよう配置される
請求項１に記載のメス型コネクタ。
【請求項３】
前記ボルト挿入孔は、前記ボルトが該ボルト挿入孔内に挿入され、且つ、前記連結筒ユニットが前記フランジに装着されたときに、前記ブッシングの軸方向から見て、前記ボルトが前記連結筒ユニットと重ならないよう配置される
請求項１に記載のメス型コネクタ。
【請求項４】
電力ケーブルの端末に設けられオス型端子を有するオス型コネクタと接続されるメス型コネクタであって、
前記オス型端子と接続されるメス型端子と、
前記メス型端子の外周を覆うように設けられる筒状のブッシングと、
前記ブッシングに外嵌されるフランジと、
一部が前記フランジと一体に設けられ、前記オス型コネクタが挿入されたときに、弾性力を利用して前記オス型コネクタを連結固定する連結筒ユニットと、
を有し、
前記フランジは、
前記ブッシングの径方向に拡径した鍔部と、
前記鍔部に開設され、所定の固定箇所に該フランジをネジ締結するボルトが挿入されるボルト挿入孔と、
を有し、
前記ボルト挿入孔は、前記ボルトが前記ボルト挿入孔に挿入されたときに、前記ブッシングの軸方向から見て、前記ボルトが前記連結筒ユニットと重ならないよう配置される
メス型コネクタ。
【請求項５】
メス型コネクタと、電力ケーブルの端末に設けられオス型端子を有するオス型コネクタと、を接続するケーブル接続構造であって、
前記メス型コネクタは、
前記オス型端子と接続されるメス型端子と、
前記メス型端子の外周を覆うように設けられる筒状のブッシングと、
前記ブッシングに外嵌されるフランジと、
前記ブッシングの軸方向に沿って前記フランジに装着され、前記オス型コネクタが挿入されたときに、弾性力を利用して前記オス型コネクタを連結固定する連結筒ユニットと、
を有し、
前記フランジは、
前記ブッシングが軸方向に貫通して挿入されるブッシング挿入穴と、
前記ブッシング挿入穴の径方向に拡径した鍔部と、
前記鍔部に開設され、前記メス型コネクタの所定の固定箇所に該フランジをネジ締結するボルトが挿入されるボルト挿入孔と、
を有する
ケーブル接続構造。
【請求項６】
ケーブル接続構造の製造方法であって、
電力ケーブルの端末に設けられオス型端子を有するオス型コネクタを準備する工程と、
前記オス型端子と接続されるメス型端子と、前記メス型端子の外周を覆うように設けられる筒状のブッシングと、前記ブッシングに外嵌されるフランジと、前記ブッシングの軸方向に沿って前記フランジに装着される連結筒ユニットと、を有するメス型コネクタを準備する工程と、
前記オス型コネクタを前記連結筒ユニット内に挿入し、弾性力を利用して前記オス型コネクタを前記連結筒ユニットに連結固定する工程と、
を有し、
前記メス型コネクタを準備する工程は、
前記フランジとして、前記ブッシングが軸方向に貫通して挿入されるブッシング挿入穴と、前記ブッシング挿入穴の径方向に拡径した鍔部と、前記鍔部に開設されるボルト挿入孔と、を有する部材を準備する工程と、
前記ブッシング挿入穴内に前記ブッシングを挿入し、前記フランジを前記ブッシングに外嵌させた状態で、前記ボルト挿入孔内にボルトを挿入し、所定の固定箇所に前記フランジをネジ締結する工程と、
を有する
ケーブル接続構造の製造方法。
【発明の詳細な説明】
【技術分野】
【０００１】
本発明は、メス型コネクタ、ケーブル接続構造およびケーブル接続構造の製造方法に関する。
【背景技術】
【０００２】
所定のメス型コネクタと、電力ケーブルの端末に設けられるオス型コネクタと、をワンタッチで連結固定することができるケーブル接続構造が開発されている（例えば、特許文献１）。
【先行技術文献】
【特許文献】
【０００３】
【特許文献１】特開平７−１２６５７９号公報
【発明の概要】
【発明が解決しようとする課題】
【０００４】
本発明の目的は、ケーブル接続構造を安定的に固定することができる技術を提供することである。
【課題を解決するための手段】
【０００５】
本発明の一態様によれば、
電力ケーブルの端末に設けられオス型端子を有するオス型コネクタと接続されるメス型コネクタであって、
前記オス型端子と接続されるメス型端子と、
前記メス型端子の外周を覆うように設けられる筒状のブッシングと、
前記ブッシングに外嵌されるフランジと、
前記ブッシングの軸方向に沿って前記フランジに装着され、前記オス型コネクタが挿入されたときに、弾性力を利用して前記オス型コネクタを連結固定する連結筒ユニットと、
を有し、
前記フランジは、
前記ブッシングが軸方向に貫通して挿入されるブッシング挿入穴と、
前記ブッシング挿入穴の径方向に拡径した鍔部と、
前記鍔部に開設され、所定の固定箇所に該フランジをネジ締結するボルトが挿入されるボルト挿入孔と、
を有する
メス型コネクタが提供される。
【０００６】
本発明の他の態様によれば、
電力ケーブルの端末に設けられオス型端子を有するオス型コネクタと接続されるメス型コネクタであって、
前記オス型端子と接続されるメス型端子と、
前記メス型端子の外周を覆うように設けられる筒状のブッシングと、
前記ブッシングに外嵌されるフランジと、
一部が前記フランジと一体に設けられ、前記オス型コネクタが挿入されたときに、弾性力を利用して前記オス型コネクタを連結固定する連結筒ユニットと、
を有し、
前記フランジは、
前記ブッシングの径方向に拡径した鍔部と、
前記鍔部に開設され、所定の固定箇所に該フランジをネジ締結するボルトが挿入されるボルト挿入孔と、
を有し、
前記ボルト挿入孔は、前記ボルトが前記ボルト挿入孔に挿入されたときに、前記ブッシングの軸方向から見て、前記ボルトが前記連結筒ユニットと重ならないよう配置される
メス型コネクタが提供される。
【０００７】
本発明の更に他の態様によれば、
メス型コネクタと、電力ケーブルの端末に設けられオス型端子を有するオス型コネクタと、を接続するケーブル接続構造であって、
前記メス型コネクタは、
前記オス型端子と接続されるメス型端子と、
前記メス型端子の外周を覆うように設けられる筒状のブッシングと、
前記ブッシングに外嵌されるフランジと、
前記ブッシングの軸方向に沿って前記フランジに装着され、前記オス型コネクタが挿入されたときに、弾性力を利用して前記オス型コネクタを連結固定する連結筒ユニットと、
を有し、
前記フランジは、
前記ブッシングが軸方向に貫通して挿入されるブッシング挿入穴と、
前記ブッシング挿入穴の径方向に拡径した鍔部と、
前記鍔部に開設され、前記メス型コネクタの所定の固定箇所に該フランジをネジ締結するボルトが挿入されるボルト挿入孔と、
を有する
ケーブル接続構造が提供される。
【０００８】
本発明の更に他の態様によれば、
ケーブル接続構造の製造方法であって、
電力ケーブルの端末に設けられオス型端子を有するオス型コネクタを準備する工程と、
前記オス型端子と接続されるメス型端子と、前記メス型端子の外周を覆うように設けられる筒状のブッシングと、前記ブッシングに外嵌されるフランジと、前記ブッシングの軸方向に沿って前記フランジに装着される連結筒ユニットと、を有するメス型コネクタを準備する工程と、
前記オス型コネクタを前記連結筒ユニット内に挿入し、弾性力を利用して前記オス型コネクタを前記連結筒ユニットに連結固定する工程と、
を有し、
前記メス型コネクタを準備する工程は、
前記フランジとして、前記ブッシングが軸方向に貫通して挿入されるブッシング挿入穴と、前記ブッシング挿入穴の径方向に拡径した鍔部と、前記鍔部に開設されるボルト挿入孔と、を有する部材を準備する工程と、
前記ブッシング挿入穴内に前記ブッシングを挿入し、前記フランジを前記ブッシングに外嵌させた状態で、前記ボルト挿入孔内にボルトを挿入し、所定の固定箇所に前記フランジをネジ締結する工程と、
を有する
ケーブル接続構造の製造方法が提供される。
【発明の効果】
【０００９】
本発明によれば、ケーブル接続構造を安定的に固定することができる。
【図面の簡単な説明】
【００１０】
【図１】本発明の第１実施形態に係るオス型コネクタの軸方向に沿った片側断面図である。
【図２】本発明の第１実施形態に係るメス型コネクタの軸方向に沿った片側断面図である。
【図３】本発明の第１実施形態に係るケーブル接続構造の一部を拡大した片側断面図である。
【図４】本発明の第２実施形態に係るメス型コネクタの軸方向に沿った片側断面図である。
【発明を実施するための形態】
【００１１】
＜発明者の得た知見＞
まず、発明者の得た知見について説明する。
【００１２】
ここで、電線が架線される配電設備等において、何らかの理由によって、工事が必要となることがある。この際、配電設備等の工事対象区域を迂回するように、所定のバイパス機材が設けられる。このような工法は、バイパス工法と呼ばれている。
【００１３】
バイパス工法で用いられるバイパス機材は、例えば、開閉器や電源等の電力機器と、電線に接続される電力ケーブル（バイパスケーブルともいう）と、を有する。このようなバイパス機材においては、例えば、電力機器側にメス型コネクタが設けられ、一方で、電力ケーブルの端末にオス型コネクタが設けられる。当該メス型コネクタとオス型コネクタとが接続されることで、所定のケーブル接続構造が形成される。
【００１４】
従来では、バイパス機材におけるケーブル接続構造において、オス型コネクタのネジ付き袋ナットを、メス型コネクタに対して螺合させることで、メス型コネクタとオス型コネクタとを接続していた。しかしながら、この構造では、現場での作業に時間がかかり、作業性が悪かった。
【００１５】
そこで、近年では、上述のケーブル接続構造において、メス型コネクタとオス型コネクタとをワンタッチで連結固定することができるワンタッチ機構（後述の連結筒ユニット）を適用することが望まれている。ワンタッチ機構を適用することにより、現場での作業時間を短縮化し、作業性を向上させることができる。
【００１６】
しかしながら、バイパス機材のうちの電力機器は工事用車両等に搭載されることが多いため、車両の振動に起因して当該ケーブル接続構造が不安定となる可能性があった。このため、バイパス工事を安定的に継続することが困難となるおそれがあった。
【００１７】
本発明は、発明者が見出した上記新規課題に基づくものである。
【００１８】
＜本発明の第１実施形態＞
（１）オス型コネクタ（プラグ端末）
本発明の第１実施形態に係るメス型コネクタを説明するにあたり、まず、メス型コネクタに接続されるオス型コネクタについて、図１を用いて説明する。図１は、本実施形態に係るオス型コネクタの軸方向に沿った断面図である。なお、図１のうち、一点鎖線よりも上側が断面図であり、下側側が正面図である。
【００１９】
なお、本明細書において、電力ケーブル１００等の「軸方向」とは、電力ケーブル１００等の中心軸の方向のことをいい、場合によっては、電力ケーブル１００等の長手方向と言い換えることができる。また、電力ケーブル１００等の「径方向」とは、電力ケーブル１００等の軸方向に垂直な方向のことをいい、場合によっては、電力ケーブル１００等の短手方向と言い換えることができる。また、電力ケーブル１００等の「周方向」とは、電力ケーブル１００等の外周に沿った方向のことをいう。なお、電力ケーブル１００以外の構成要素においても（例えば、柱状体や筒状体として構成されている部材、孔および穴等においても）、「軸方向」「径方向」および「周方向」との用語を用いることがある。
【００２０】
図１に示すように、本実施形態のオス型コネクタ１０は、例えば、電力ケーブル１００の端末に設けられ、オス型端子１１０と、ロックリング１１２と、絶縁筒１２０と、半導電性テープ１２６と、自己融着テープ１２８と、ゴム保護カバー１３０と、オス側スリーブ１４０と、を有している。なお、オス型コネクタ１０において、メス型コネクタ２０と接続される側を「先端」側とし、その反対側を「基端」側（後端、または電力ケーブル１００延在側）とする。
【００２１】
（電力ケーブル）
電力ケーブル１００は、例えば、電線に接続されるバイパスケーブルとして構成されている。電力ケーブル１００は、例えば、ケーブル導体１０１と、ケーブル絶縁層１０２と、ケーブル遮蔽層１０３と、ケーブルシース１０４と、を有している。ケーブル導体１０１は、複数の導体素線（例えば銅線）を螺旋状に撚り合せることにより構成されている。
【００２２】
電力ケーブル１００は、例えば、先端から軸方向に段階的に剥がされている（いわゆる段剥ぎされている）。すなわち、ケーブル導体１０１、ケーブル絶縁層１０２およびケーブル遮蔽層１０３は、電力ケーブル１００の先端側からこの順で露出している。
【００２３】
（オス型端子）
オス型端子１１０は、例えば、ケーブル導体１０１と後述のメス型端子２１０とを電気的および機械的に中継する柱状金属部材として構成されている。具体的には、オス型端子１１０は、例えば、銅、銅合金、アルミニウム、またはアルミニウム合金のいずれかからなっている。オス型端子１１０の基端側には、導体挿入孔（符号不図示）が設けられている。オス型端子１１０は、導体挿入孔内にケーブル導体１０１が挿入された状態で、該ケーブル導体１０１と圧縮接続されている。一方で、オス型端子１１０の先端側は、後述のメス型端子２１０内に挿入可能に構成され、先端に行くにつれて徐々に縮径している。
【００２４】
（絶縁筒）
絶縁筒１２０は、例えば、段剥ぎされた電力ケーブル１００の周辺の絶縁性を確保するよう構成されている。具体的には、例えば、絶縁筒１２０は、段剥ぎされた電力ケーブル１００の外周を覆うように設けられている。なお、絶縁筒１２０の内周面と電力ケーブル１００との間に所定のスペーサ（符号）が介在していてもよい。絶縁筒１２０内には、ロックリング１１２によりオス型端子１１０が固定されている。また、絶縁筒１２０は、例えば、内部半導電層（符号不図示）と、絶縁層（符号不図示）と、外部半導電層（符号不図示）と、を有し、これらが一体として筒状にモールド成形されることにより構成されている。内部半導電層および外部半導電層はそれぞれ半導電性のゴムからなり、絶縁層は絶縁性のゴムからなっている。内部半導電層は、ケーブル導体１０１の露出部とオス型端子１１０の一部と（すなわち高圧部）を覆うように設けられている。これにより、高圧部の電界集中を抑制することができる。絶縁層は、内部半導電層を覆うとともに、オス型端子１１０の先端からケーブル絶縁層１０２の露出部までを覆うように設けられている。また、絶縁層の基端側は、テーパ形状を有しており、すなわち、絶縁層は、基端側から先端側に向かう方向に徐々に拡径している。絶縁層の基端側のテーパ部１２０ａには、ケーブル遮蔽層１０３と接続するように、半導電性テープ１２６が巻回されている。これにより、いわゆるストレスコーンが形成されている。半導電性テープ１２６の外周には、さらに自己融着テープ１２８が巻回されている。自己融着テープ１２８により半導電性テープ１２６の剥離を抑制することができる。さらに、絶縁筒１２０の基端側のテーパ部１２０ａには、ゴム保護カバー１３０が被せられている。ゴム保護カバー１３０は、自己融着テープ１２８を覆っている。これにより、自己融着テープ１２８の剥離を抑制することができる。一方で、外部半導電層は、絶縁層の先端側で且つ後述のオス側スリーブ１４０と重なる位置に、絶縁層の外周を覆うように設けられている。これにより、絶縁層の外周における電界不正を抑制することができる。以上のように絶縁筒１２０が構成されていることにより、段剥ぎされた電力ケーブル１００の周辺の絶縁性を確保しつつ、電界を緩和することができる。
【００２５】
（オス側スリーブ）
オス側スリーブ１４０は、例えば、後述のメス型コネクタ２０と係合する係合部材として構成されている。具体的には、オス側スリーブ１４０は、例えば、筒状金属部材として構成されており、絶縁筒１２０の先端側の外周を囲むように設けられている。なお、オス側スリーブ１４０は、例えば、電力ケーブル１００を引っ張ったときに絶縁筒１２０から外れないように該絶縁筒１２０に対して固定されている。
【００２６】
また、オス側スリーブ１４０の先端側の外周には、該外周の全体に亘って、例えば、オス側嵌合溝１４０ａが設けられている。オス側嵌合溝１４０ａの断面形状は、例えば、円弧状となっている。当該オス側嵌合溝１４０ａには、後述のメス型コネクタ２０のボール３２０が嵌合することとなる。
【００２７】
なお、オス型コネクタ１０を使用しないときには、該オス型コネクタ１０の先端に、所定の保護キャップ１９０が被せられる。
【００２８】
以上のように構成されるオス型コネクタ１０では、例えば、オス側スリーブ１４０の外径、オス側嵌合溝１４０ａの位置、オス側嵌合溝１４０ａの幅等の寸法が、所定の規格で定められる。該オス型コネクタ１０は、本実施形態だけでなく、後述の第２実施形態においても同様に用いられる。
【００２９】
（２）メス型コネクタ
次に、本実施形態のメス型コネクタについて、図２を用いて説明する。図２は、本実施形態に係るメス型コネクタの軸方向に沿った断面図である。なお、図２のうち、一点鎖線よりも上側が断面図であり、下側側が正面図である。
【００３０】
図２に示すように、本実施形態のメス型コネクタ２０は、例えば、開閉器等の電力機器９０側に設けられ、メス型端子２１０と、ブッシング２２０と、フランジ２３０と、連結筒ユニット（連結筒機構、ワンタッチ機構、ワンタッチユニット）３０と、を有している。なお、メス型コネクタ２０において、オス型コネクタ１０と接続される側を「先端」側とし、その反対側を「基端」側とする。
【００３１】
（メス型端子）
メス型端子２１０は、例えば、電力機器９０側の所定の配線と上述のオス型端子１１０とを電気的および機械的に中継する柱状金属部材として構成されている。具体的には、メス型端子２１０は、例えば、銅、銅合金、アルミニウム、またはアルミニウム合金のいずれかからなっている。メス型端子２１０の先端側には、端子挿入孔（符号不図示）が設けられている。後述の連結筒ユニット３０内にオス型コネクタ１０が挿入されたときに、メス型端子２１０の端子挿入孔内に、オス型端子１１０が嵌入されるようになっている。一方で、メス型端子２１０の基端側には、電力機器９０側の配線が接続される外ネジ（符号不図示）が設けられている。
【００３２】
（ブッシング）
ブッシング２２０は、例えば、メス型端子２１０を支持するとともに、該メス型端子２１０の周辺の絶縁性を確保するよう構成されている。具体的には、ブッシング２２０は、例えば、筒状に構成され、絶縁性のゴムからなっている。また、ブッシング２２０は、例えば、メス型端子２１０の外周面に密着し、メス型端子２１０の外周を覆うように設けられている。また、ブッシング２２０は、中心軸がメス型端子２１０の中心軸と一致するように配置されている。
【００３３】
ブッシング２２０は、例えば、先端側から軸方向の中間位置に向かうにつれて段階的に拡径している。ブッシング２２０の軸方向の中間位置には、径方向に拡径したブッシング鍔部２２０ａが設けられている。ブッシング鍔部２２０ａは、電力機器９０の壁面の所定位置に設けられた開口（符号不図示）に該ブッシング２２０が挿入されたときに、クッション材（符号不図示）を介して電力機器９０の壁面に対して当接するようになっている。
【００３４】
なお、例えば、ブッシング２２０の先端側の外周面には、導電性塗料（不図示）が塗布されている。これにより、ブッシング２２０が電気的に遮蔽されている。
【００３５】
（フランジ）
フランジ２３０は、例えば、ブッシング２２０に外嵌され（ブッシング２２０の外周に嵌められ）、該ブッシング２２０を電力機器９０側に固定するよう構成されている。具体的には、フランジ２３０は、例えば、略筒状金属部材として構成され、ブッシング挿入穴２３１と、筒状部２３２と、鍔部（フランジ鍔部）２３４と、を有している。
【００３６】
ブッシング挿入穴２３１は、例えば、中心軸がフランジ２３０の中心軸と一致し、且つ、該フランジ２３０を軸方向に貫通するように開設されている。ブッシング挿入穴２３１内には、ブッシング２２０が軸方向に貫通して挿入される。
【００３７】
筒状部２３２は、例えば、ブッシング２２０のうちブッシング鍔部２２０ａよりも先端側に対して所定のパッキンを介して外嵌されるよう構成されている。また、筒状部２３２の基端側は、ブッシング２２０のブッシング鍔部２２０ａに対して所定のパッキンを介して当接するようになっている。また、筒状部２３２の外周面には、例えば、後述の連結筒ユニット３０が螺合する外ネジ２３２ａが設けられている。
【００３８】
鍔部２３４は、例えば、筒状部２３２よりもブッシング挿入穴２３１の径方向に拡径している。鍔部２３４は、ブッシング２２０を電力機器９０側に固定する固定部分となる。鍔部２３４の特徴については、詳細を後述する。
【００３９】
（連結筒ユニット）
連結筒ユニット３０は、例えば、ブッシング２２０の軸方向に沿ってフランジ２３０に装着され、弾性力を利用してオス型コネクタ１０をワンタッチで連結固定するよう構成されている。なお、ここでいう「弾性力を利用して」とは、例えば、弾性力によって変動する嵌合機構を用いることを意味している。
【００４０】
具体的には、本実施形態の連結筒ユニット３０は、例えば、固定スリーブ３１０と、ボール３２０と、スライドスリーブ３３０と、内側バネ部３３２と、袋ナット３４０と、外側バネ部３４２と、を有している。
【００４１】
固定スリーブ３１０は、例えば、筒状金属部材として構成され、連結筒ユニット３０の位置を決定し、且つ、その剛性を確保するベース部材となっている。本実施形態の固定スリーブ３１０は、フランジ２３０と別体として設けられている。固定スリーブ３１０の基端側の内周面には、例えば、内ネジ３１０ａが設けられている。固定スリーブ３１０は、該内ネジ３１０ａがフランジ２３０の外ネジ２３２ａに螺合することで、中心軸がブッシング２２０の中心軸およびメス型端子２１０の中心軸のそれぞれと一致した状態で、ブッシング２２０の軸方向に沿ってフランジ２３０に連結されている。また、固定スリーブ３１０の側面を貫通するように、ボール挿入孔３１０ｂが設けられている。また、固定スリーブ３１０のボール挿入孔３１０ｂよりも先端側には、該固定スリーブ３１０の全周に亘って、後述の袋ナット３４０の脱落を抑制するストッパ３１０ｃが設けられている。一方で、固定スリーブ３１０の基端側には、無頭ネジ２５０が螺合して挿入されるネジ貫通穴（不図示）が開設されている。
【００４２】
ボール３２０は、上述の固定スリーブ３１０のボール挿入孔３１０ｂ内に設けられている。ボール３２０は、例えば、鋼球（金属球）からなっている。ボール３２０は、連結筒ユニット３０がオス型コネクタ１０と連結されたときの引張力に耐えうる剛性を有している。ボール３２０の直径は、例えば、固定スリーブ３１０の厚さよりも大きく、ボール挿入孔３１０ｂの内径よりも若干小さい。つまり、ボール３２０は、ボール挿入孔３１０ｂ内を固定スリーブ３１０の厚さ方向に移動可能であり、固定スリーブ３１０の内側に突出したり、固定スリーブ３１０の外側に突出したりすることができるようになっている。
【００４３】
スライドスリーブ３３０は、例えば、筒状金属部材として構成され、固定スリーブ３１０の内径よりも若干小さい外径を有している。スライドスリーブ３３０は、固定スリーブ３１０に内嵌され、該固定スリーブ３１０の軸方向に沿って摺動可能に設けられている。
【００４４】
内側バネ部３３２は、例えば、コイルバネとして構成され、フランジ２３０の一部（筒状部２３２）に外嵌されている。内側バネ部３３２は、フランジ２３０の筒状部２３２と固定スリーブ３１０の間に介在している。内側バネ部３３２の軸方向の一端（基端）は、例えば、フランジ２３０のうち筒状部２３２の所定の係止部（符号不図示）に係止されている。一方で、内側バネ部３３２の軸方向の他端（先端）は、例えば、固定スリーブ３１０の軸方向に沿ってフランジ２３０から離れる方向にスライドスリーブ３３０を弾性的に付勢している（弾性的に押し出す力を付与している）。
【００４５】
袋ナット３４０は、例えば、先端側が若干縮径した略筒状金属部材として構成されている。袋ナット３４０の縮径部（符号不図示）は、固定スリーブ３１０の外径よりも若干大きい内径を有している。袋ナット３４０は、固定スリーブ３１０に外嵌され、該固定スリーブ３１０の軸方向に沿って摺動可能に設けられている。袋ナット３４０の縮径部の内周面には、上述のボール３２０が嵌合するメス側嵌合溝３４０ａが設けられている。メス側嵌合溝３４０ａは、袋ナット３４０の内周面の全体に亘って設けられている。また、袋ナット３４０の基端側には、無頭ネジ２５０が嵌合するネジ嵌合溝（符号不図示）が設けられている。
【００４６】
外側バネ部３４２は、例えば、コイルバネとして構成され、固定スリーブ３１０に外嵌されている。外側バネ部３４２は、固定スリーブ３１０と袋ナット３４０との間の隙間に介在している。外側バネ部３４２の軸方向の一端（基端）は、例えば、固定スリーブ３１０の所定の係止部（符号不図示）に係止されている。一方で、外側バネ部３４２の他端（先端）は、例えば、固定スリーブ３１０の軸方向に沿ってフランジ２３０から離れる方向に袋ナット３４０の縮径部を弾性的に付勢している。
【００４７】
連結筒ユニット３０がフランジ２３０に装着されるとき、固定スリーブ３１０のネジ貫通穴内に無頭ネジ２５０が螺合される。無頭ネジ２５０は、フランジ２３０の外周面に突き当たるまで挿入される。これにより、固定スリーブ３１０の周方向の回転を抑制し、該固定スリーブ３１０がフランジ２３０から外れることを抑制することができる。
【００４８】
ここで、連結筒ユニット３０の機構について説明する。
【００４９】
図２に示すように、連結筒ユニット３０内にオス型コネクタ１０が挿入されていないとき（すなわち通常時）には、スライドスリーブ３３０は、内側バネ部３３２の弾性力によってフランジ２３０から離れる方向（固定スリーブ３１０の先端側）に押し出され、固定スリーブ３１０のボール挿入孔３１０ｂと重なるように配置されている。これにより、スライドスリーブ３３０は、ボール３２０が固定スリーブ３１０よりも径方向の内側に突出することを規制している。
【００５０】
また、このとき、袋ナット３４０は、外側バネ部３４２の弾性力に反してフランジ２３０の鍔部２３４側に配置されている。これにより、袋ナット３４０は、メス側嵌合溝３４０ａ内にボール３２０が嵌合されることで、固定スリーブ３１０の軸方向に沿った摺動が規制されている。
【００５１】
これに対し、図３を用い、連結筒ユニット３０内にオス型コネクタ１０が挿入されるときについて説明する。図３は、本実施形態に係るケーブル接続構造の一部を拡大した片側断面図である。なお、図３のうち、一点鎖線よりも上側が断面図であり、下側側が正面図である。
【００５２】
図３に示すように、連結筒ユニット３０内にオス型コネクタ１０が挿入されるとき、オス型端子１１０の先端側は、メス型端子２１０の端子挿入孔内に挿入される。これにより、オス型端子１１０とメス型端子２１０とが接続される。
【００５３】
スライドスリーブ３３０は、オス型コネクタ１０の当接によって内側バネ部３３２の弾性力に反してフランジ２３０の鍔部２３４側に移動する。これにより、スライドスリーブ３３０は、固定スリーブ３１０のボール挿入孔３１０ｂからずれるよう配置される。その結果、スライドスリーブ３３０は、ボール３２０が固定スリーブ３１０よりも径方向の内側に突出することを許容する。
【００５４】
また、このとき、袋ナット３４０は、メス側嵌合溝３４０ａからボール３２０が外れることで、固定スリーブ３１０の軸方向に沿ってフランジ２３０から離れる方向に移動し、ストッパ３１０ｃによって係止される。これにより、袋ナット３４０は、ボール３２０を固定スリーブ３１０の径方向の内側に向けて押さえつけることで、ボール３２０が固定スリーブ３１０よりも径方向の外側に突出することを規制する。
【００５５】
これらの結果、ボール３２０は、固定スリーブ３１０よりも径方向の内側に突出し、オス型コネクタ１０のオス側嵌合溝１４０ａ内に嵌合することで、オス型コネクタ１０を連結固定することができる。
【００５６】
なお、このとき、袋ナット３４０のネジ嵌合溝は、無頭ネジ２５０から外れる。袋ナット３４０は固定スリーブ３１０の周方向に回転され、袋ナット３４０のネジ嵌合溝は無頭ネジ２５０からずれて配置される。これにより、無頭ネジ２５０によって、袋ナット３４０がフランジ２３０の鍔部２３４側に誤って移動することを規制することができる。
【００５７】
以上のようにして、連結筒ユニット３０は、オス型端子１１０とメス型端子２１０とが接続された状態で、弾性力を利用してオス型コネクタ１０をワンタッチで連結固定するようになっている。
【００５８】
（フランジの固定態様）
ここで、電力機器９０側へのフランジ２３０の固定態様について説明する。
【００５９】
本実施形態では、フランジ２３０の鍔部２３４には、例えば、ボルト挿入孔２３４ａが開設されている。ボルト挿入孔２３４ａ内には、ボルト２４０が挿入される。これにより、所定の固定箇所にフランジ２３０をネジ締結することができる。なお、所定の固定箇所とは、例えば、電力機器９０の壁面に開設されたネジ穴９２０等である。所定の固定箇所にフランジ２３０をネジ締結することで、フランジ２３０を介してブッシング２２０を電力機器９０側に固定することができる。その結果、オス型コネクタ１０とメス型コネクタ２０とが接続されたケーブル接続構造４０を安定的に固定することができる。
【００６０】
また、本実施形態では、ボルト挿入孔２３４ａは、例えば、ボルト２４０がボルト挿入孔２３４ａ内に挿入され、且つ、連結筒ユニット３０がフランジ２３０に装着されたときに、ブッシング２２０の軸方向から見て、ボルト２４０が連結筒ユニット３０と重ならないよう配置されている。言い換えれば、ボルト挿入孔２３４ａと連結筒ユニット３０とは、ブッシング挿入穴２３１の径方向に離間されている。これにより、ボルト２４０と連結筒ユニット３０とが相互に干渉することを抑制することができる。
【００６１】
また、本実施形態では、ボルト挿入孔２３４ａは、例えば、鍔部２３４に複数開設されている。ボルト挿入孔２３４ａの数は、例えば、３つまたは４つである。複数のボルト挿入孔２３４ａのそれぞれ、ブッシング挿入穴２３１の中心から径方向に均等な距離で配置されている。また、複数のボルト挿入孔２３４ａは、ブッシング挿入穴２３１の周方向に均等な間隔で配置されている。このようなボルト挿入孔２３４ａの配置により、フランジ２３０をバランスよくネジ締結することができる。
【００６２】
（３）ケーブル接続構造
次に、本実施形態のケーブル接続構造について、図３を用いて説明する。
【００６３】
図３に示すように、本実施形態のケーブル接続構造４０は、例えば、電力機器９０側に設けられるメス型コネクタ２０と、電力ケーブル１００の端末に設けられるオス型コネクタ１０と、を接続するよう構成されている。
【００６４】
オス型コネクタ１０は、連結筒ユニット３０内に挿入されている。オス型端子１１０の先端側は、メス型端子２１０の端子挿入孔内に挿入されている。
【００６５】
連結筒ユニット３０は、弾性力を利用してオス型コネクタ１０をワンタッチで連結固定している。具体的には、上述のように、連結筒ユニット３０内にオス型コネクタ１０が挿入されることによって、スライドスリーブ３３０と袋ナット３４０とは、固定スリーブ３１０の軸方向に相反する方向に移動している。これにより、ボール３２０は、オス型コネクタ１０のオス側嵌合溝１４０ａ内に嵌合することで、オス型コネクタ１０を連結固定している。
【００６６】
メス型コネクタ２０のフランジ２３０は、ボルト挿入孔２３４ａ内にボルト２４０が挿入されることで、所定の固定箇所にネジ締結されている。
【００６７】
以上により、本実施形態のケーブル接続構造４０が構成されている。
【００６８】
（４）ケーブル接続構造の製造方法（ケーブル接続方法）
次に、図１〜図３を用い、本実施形態のケーブル接続構造の製造方法について説明する。以下、ステップを「Ｓ」と略す。
【００６９】
（Ｓ１００：オス型コネクタ準備工程（オス型コネクタ形成工程））
まず、図１に示すように、本実施形態のオス型コネクタ１０を準備する。
【００７０】
具体的には、電力ケーブル１００を段剥ぎする。電力ケーブル１００を段剥ぎしたら、予め電力ケーブル１００にゴム保護カバー１３０などを挿通させておく。また、このとき、ケーブル導体１０１とオス型端子１１０とを圧縮接続する。オス型端子１１０を接続したら、絶縁筒１２０内に所定のスペーサ（符号不図示）を介して電力ケーブル１００を挿入し、該絶縁筒１２０内にロックリング１１２によりオス型端子１１０を固定する。絶縁筒１２０内に電力ケーブル１００を挿入したら、絶縁筒１２０の基端側のテーパ部１２０ａに半導電性テープ１２６を巻回し、半導電性テープ１２６の外周に自己融着テープ１２８を巻回する。自己融着テープ１２８を巻回したら、絶縁筒１２０の基端側のテーパ部１２０ａにゴム保護カバー１３０を被せる。ゴム保護カバー１３０を被せたら、オス側スリーブ１４０を絶縁筒１２０に対して固定する。以上により、オス型コネクタ１０が形成される。
【００７１】
（Ｓ２００：メス型コネクタ準備工程（メス型コネクタ形成工程））
一方で、図２に示すように、本実施形態のメス型コネクタ２０を準備する。メス型コネクタ準備工程Ｓ２００は、例えば、部材準備工程Ｓ２１０と、フランジ締結工程Ｓ２２０と、連結筒ユニット装着工程Ｓ２３０と、を有している。
【００７２】
（Ｓ２１０：部材準備工程）
メス型コネクタ２０を構成するメス型端子２１０、ブッシング２２０、フランジ２３０、および連結筒ユニット３０を準備する。
【００７３】
このとき、本実施形態では、フランジ２３０として、ブッシング２２０が軸方向に貫通して挿入されるブッシング挿入穴２３１と、ブッシング挿入穴２３１の径方向に拡径した鍔部２３４と、鍔部２３４に開設されるボルト挿入孔２３４ａと、を有する部材を準備する。
【００７４】
さらに、このとき、本実施形態では、例えば、ボルト２４０がボルト挿入孔２３４ａ内に挿入され、且つ、連結筒ユニット３０がフランジ２３０に装着されたときに、ブッシング２２０の軸方向から見て、ボルト２４０が連結筒ユニット３０と重ならないように、ボルト挿入孔２３４ａを配置する。
【００７５】
（Ｓ２２０：フランジ締結工程）
メス型コネクタ２０を構成する各部材を準備したら、フランジ２３０のブッシング挿入穴２３１内にブッシング２２０を挿入し、フランジ２３０をブッシング２２０に外嵌させる。このとき、筒状部２３２の基端側を、ブッシング２２０のブッシング鍔部２２０ａに対して所定のパッキンを介して当接させる。
【００７６】
フランジ２３０をブッシング２２０に外嵌させたら、この状態で、フランジ２３０のボルト挿入孔２３４ａ内にボルト２４０を挿入し、電力機器９０の所定の固定箇所にフランジ２３０をネジ締結する。これにより、フランジ２３０を介してブッシング２２０を電力機器９０側に固定することができる。
【００７７】
（Ｓ２３０：連結筒ユニット装着工程）
フランジ２３０をネジ締結したら、ブッシング２２０の軸方向に沿って連結筒ユニット３０をフランジ２３０に装着する。このとき、連結筒ユニット３０の固定スリーブ３１０の内ネジ３１０ａをフランジ２３０の外ネジ２３２ａに螺合させる。これにより、固定スリーブ３１０の中心軸をブッシング２２０の中心軸およびメス型端子２１０の中心軸のそれぞれと一致させた状態で、ブッシング２２０の軸方向に沿って連結筒ユニット３０をフランジ２３０に連結することができる。
【００７８】
連結筒ユニット３０をフランジ２３０に装着したら、固定スリーブ３１０のネジ貫通穴内に無頭ネジ２５０を螺合させ、該無頭ネジ２５０をフランジ２３０の外周面に突き当たるまで挿入する。これにより、固定スリーブ３１０の周方向の回転を抑制する。
【００７９】
以上により、本実施形態のメス型コネクタ２０が形成される。
【００８０】
（Ｓ３００：連結固定工程）
オス型コネクタ１０およびメス型コネクタ２０を準備したら、オス型コネクタ１０を連結筒ユニット３０内に挿入し、弾性力を利用してオス型コネクタ１０を連結筒ユニット３０に連結固定する。このときの連結筒ユニット３０の機構の動作については、上述したとおりである。
【００８１】
以上により、本実施形態のケーブル接続構造４０が製造される。
【００８２】
（５）本実施形態に係る効果
本実施形態によれば、以下に示す１つ又は複数の効果を奏する。
【００８３】
（ａ）本実施形態では、フランジ２３０の鍔部２３４には、ボルト挿入孔２３４ａが開設されている。ボルト挿入孔２３４ａ内には、ボルト２４０が挿入される。これにより、所定の固定箇所にフランジ２３０をネジ締結することができる。所定の固定箇所にフランジ２３０をネジ締結することで、フランジ２３０を介してブッシング２２０を所定の固定箇所に固定することができる。その結果、オス型コネクタ１０とメス型コネクタ２０とが接続されたケーブル接続構造４０を安定的に固定することができる。
【００８４】
例えば、本実施形態のケーブル接続構造４０を有するバイパス機材が工事用車両に搭載され、車両の振動が生じていたとしても、上述のようにケーブル接続構造４０を安定的に固定することで、電力機器９０等の所定の固定箇所からのケーブル接続構造４０の脱離を抑制することができる。これにより、バイパス工事を安定的に継続することが可能となる。
【００８５】
（ｂ）本実施形態では、ボルト挿入孔２３４ａは、例えば、ボルト２４０がボルト挿入孔２３４ａ内に挿入され、且つ、連結筒ユニット３０がフランジ２３０に装着されたときに、ブッシング２２０の軸方向から見て、ボルト２４０が連結筒ユニット３０と重ならないよう配置されている。これにより、ボルト挿入孔２３４ａ内にボルト２４０を挿入しフランジ２３０をネジ締結するフランジ締結工程Ｓ２２０と、連結筒ユニット３０をフランジ２３０に装着する連結筒ユニット装着工程Ｓ２３０と、のうち、どちらの工程を先に行ったとしても、ボルト２４０と連結筒ユニット３０とが相互に干渉することを抑制することができる。その結果、現場での工程順によらず、作業性を向上させることができる。
【００８６】
＜本発明の第２実施形態＞
次に、本発明の第２実施形態について説明する。
【００８７】
（１）第２実施形態に関して発明者が得た知見
ここで、従来のケーブル接続構造、すなわち、オス型コネクタのネジ付き袋ナットをメス型コネクタに対して螺合させる構造において、電力機器等の所定の固定箇所にフランジをネジ締結するよう構成する場合が考えられる。この場合、例えば、ケーブル接続構造を小型化する観点から、フランジをネジ締結するボルトが挿入される複数のボルト挿入孔は、それぞれ、ブッシング挿入穴に近い位置に配置される。電力機器側には、該複数のボルト挿入孔のそれぞれに対応する位置に複数のネジ穴が開設されるため、複数のネジ穴のピッチが狭くなる。
【００８８】
このような従来のケーブル接続構造では、設置安定性を向上することはできるものの、上述のネジ付き袋ナットに起因した作業性の低下が懸念される。このため、フランジをネジ締結可能な構成を維持しつつ、ネジ付き袋ナットを有する従来のケーブル接続構造から、連結筒ユニットを有する新規なケーブル接続構造に置き換えることが求められると考えられる。
【００８９】
しかしながら、電力機器側では、上述のように、従来のケーブル接続構造に対応して、複数のネジ穴のピッチが狭くなっている。これに対し、連結筒ユニットを有するケーブル接続構造では、複数のスリーブを有する連結筒ユニットの構造に起因して、連結筒ユニットの外径が、従来のネジ穴のピッチよりも大きくなる。
【００９０】
このため、従来のケーブル接続構造に対応して開設された既存のネジ穴の配置を変更することなく、従来のケーブル接続構造から、連結筒ユニットを有するケーブル接続構造に置き換えようとすると、既存のネジ穴に挿入されるボルトと、連結筒ユニットとが相互に干渉してしまう可能性があった。その結果、従来のケーブル接続構造から、連結筒ユニットを有するケーブル接続構造に置き換えることが困難となる可能性があった。
【００９１】
以下の第２実施形態は、発明者が見出した上記新規課題に基づくものである。
【００９２】
本実施形態では、メス型コネクタ２０のボルト挿入孔２３４ａの配置が第１実施形態と異なる。以下、上述の実施形態と異なる要素についてのみ説明し、上述の実施形態で説明した要素と実質的に同一の要素には、同一の符号を付してその説明を省略する。
【００９３】
（２）メス型コネクタ
本実施形態に係るメス型コネクタについて、図４を用いて説明する。図４は、本実施形態に係るメス型コネクタの軸方向に沿った片側断面図である。
【００９４】
図４に示すように、本実施形態では、ボルト挿入孔２３４ａは、例えば、ボルト２４０がボルト挿入孔２３４ａ内に挿入され、且つ、連結筒ユニット３０がフランジ２３０に装着されたときに、ブッシング２２０の軸方向から見て、ボルト２４０の少なくとも一部が連結筒ユニット３０と重なるよう配置されている。これにより、ボルト挿入孔２３４ａをブッシング挿入穴２３１に近づけることができる。
【００９５】
なお、フランジ２３０の外ネジ２３２ａは、例えば、ボルト２４０がボルト挿入孔２３４ａ内に挿入され、且つ、連結筒ユニット３０がフランジ２３０に装着されたときに、ブッシング２２０の軸方向にボルト２４０と干渉しない位置に、連結筒ユニット３０の内ネジ３１０ａが螺合するよう構成されている。
【００９６】
さらに、本実施形態では、ボルト挿入孔２３４ａは、例えば、ボルト２４０がボルト挿入孔２３４ａ内に挿入され、且つ、連結筒ユニット３０がフランジ２３０に装着されたときに、ブッシング２２０の軸方向から見て、ボルト２４０の一部が連結筒ユニット３０と重なる一方で、ボルト２４０の他部が連結筒ユニット３０よりも外側に露出するよう配置されている。これにより、フランジ２３０に連結筒ユニット３０が装着されていたとしても、ボルト２４０の位置を確認することができる。
【００９７】
さらに、本実施形態では、ボルト挿入孔２３４ａは、例えば、ボルト２４０がボルト挿入孔２３４ａ内に挿入され、且つ、連結筒ユニット３０がフランジ２３０に装着されたときに、ブッシング２２０の軸方向から見て、ボルト２４０の中心軸が連結筒ユニット３０の外周面と一致するよう配置されている。これにより、フランジ２３０において、ブッシング挿入穴２３１とボルト挿入孔２３４ａとの間の距離を一定以上に確保することができる。その結果、フランジ２３０の剛性を確保することができる。また、ボルト２４０の中心軸を連結筒ユニット３０の外周面と一致させることで、ボルト２４０のうち、連結筒ユニット３０と重なる領域と、連結筒ユニット３０よりも外側に露出する領域と、を略均等にすることができる。これにより、後述のボルト２４０の脱落抑制性と、ボルト２４０の位置視認性とを両立することができる。
【００９８】
（３）ケーブル接続構造
次に、本実施形態に係るケーブル接続構造について説明する。
【００９９】
本実施形態に係るケーブル接続構造４０は、メス型コネクタ２０のボルト挿入孔２３４ａの配置が異なる点を除いて、上述の第１実施形態に係るケーブル接続構造４０と同様である。
【０１００】
すなわち、本実施形態では、オス型コネクタ１０および連結筒ユニット３０を、それぞれ、第１実施形態のオス型コネクタ１０および連結筒ユニット３０と全く同じものを用いることができる。本実施形態の連結筒ユニット３０の機構では、メス型コネクタ２０のボルト挿入孔２３４ａの配置が異なることに起因した影響がなく、第１実施形態の連結筒ユニット３０の連結筒ユニット３０の機構と同様に機能させることができる。
【０１０１】
（４）ケーブル接続構造の製造方法
次に、本実施形態に係るケーブル接続構造の製造方法について説明する。
【０１０２】
（Ｓ２００：メス型コネクタ準備工程）
本実施形態では、部材準備工程Ｓ２１０のうち、フランジ２３０を準備する工程において、例えば、ボルト２４０がボルト挿入孔２３４ａ内に挿入され、且つ、連結筒ユニット３０がフランジ２３０に装着されたときに、ブッシング２２０の軸方向から見て、ボルト２４０の少なくとも一部が連結筒ユニット３０と重なるように、ボルト挿入孔２３４ａを配置する。
【０１０３】
ここで、本実施形態では、上述のように、ブッシング２２０の軸方向から見て、ボルト２４０の少なくとも一部が連結筒ユニット３０と重なることとなるため、フランジ締結工程Ｓ２２０よりも前に連結筒ユニット装着工程Ｓ２３０を行うと、連結筒ユニット３０がボルト２４０と干渉してしまい、フランジ２３０をネジ締結することができない。
【０１０４】
そこで、本実施形態では、フランジ締結工程Ｓ２２０の後に連結筒ユニット装着工程Ｓ２３０を行う。これにより、連結筒ユニット３０とボルト２４０との相互の干渉を抑制することができる。
【０１０５】
本実施形態の他の工程は、第１実施形態と同様である。
【０１０６】
（５）本実施形態に係る効果
（ａ）本実施形態では、ボルト挿入孔２３４ａは、ボルト２４０がボルト挿入孔２３４ａ内に挿入され、且つ、連結筒ユニット３０がフランジ２３０に装着されたときに、ブッシング２２０の軸方向から見て、ボルト２４０の少なくとも一部が連結筒ユニット３０と重なるよう配置されている。これにより、ボルト挿入孔２３４ａをブッシング挿入穴２３１に近づけることができる。ボルト挿入孔２３４ａをブッシング挿入穴２３１に近づけることで、フランジ２３０の外径を小さくすることができる。その結果、メス型コネクタ２０を小型化することができ、すなわち、ケーブル接続構造４０全体を小型化することができる。
【０１０７】
（ｂ）本実施形態では、ボルト挿入孔２３４ａをブッシング挿入穴２３１に近づけることで、電力機器９０側において、ネジ付き袋ナットを有する従来のケーブル接続構造に対応して、複数のネジ穴のピッチが狭くなっている場合であっても、電力機器９０側の既存のネジ穴の配置を変更することなく、従来のケーブル接続構造から、本実施形態の連結筒ユニット３０を有するケーブル接続構造４０に容易に置き換えることができる。つまり、ケーブル接続構造４０の設置安定性を向上させつつ、互換性を向上させることができる。
【０１０８】
（ｃ）連結筒ユニット３０がフランジ２３０に装着されたときに、ブッシング２２０の軸方向から見て、ボルト２４０の少なくとも一部を連結筒ユニット３０と重ならせることで、電力機器９０等が搭載される車両の振動に起因してボルト２４０が緩んだ際に、ボルト２４０の頭部を連結筒ユニット３０に係止させることができる。これにより、たとえ車両の振動に起因してケーブル接続構造４０が振動したとしても、ボルト２４０の脱落を抑制することができる。その結果、ケーブル接続構造４０の設置安定性を、第１実施形態よりもさらに向上させることができる。
【０１０９】
＜本発明の他の実施形態＞
以上、本発明の実施形態について具体的に説明したが、本発明は上述の実施形態に限定されるものではなく、その要旨を逸脱しない範囲で種々変更可能である。
【０１１０】
上述の実施形態では、メス型コネクタ２０が電力機器９０側に設けられる場合について説明したが、メス型コネクタ２０は、電力機器９０以外のものに設けられていてもよい。
【０１１１】
上述の実施形態では、連結筒ユニット３０が上述した機構を有している場合について説明したが、連結筒ユニット３０の機構は、上述の機構に限られない。連結筒ユニット３０は、少なくとも弾性力を利用してオス型コネクタ１０を連結するよう構成されていれば、上述の機構以外の機構を有していてもよい。
【０１１２】
上述の実施形態では、ボルト２４０が連結筒ユニット３０と重ならないよう、メス型コネクタ２０のボルト挿入孔２３４ａが配置されており、且つ、連結筒ユニット３０の固定スリーブ３１０がフランジ２３０と別体として設けられている場合について説明したが、ボルト２４０が連結筒ユニット３０と重ならないよう、メス型コネクタ２０のボルト挿入孔２３４ａが配置されているのであれば、連結筒ユニット３０の一部（例えば固定スリーブ３１０）がフランジ２３０と一体に設けられていてもよい。これにより、現場でのメス型コネクタ準備工程Ｓ２００に係る作業性を向上させることができる。
【０１１３】
上述の実施形態では、製造方法の一例を説明したが、製造方法における各工程の順番は、可能な限り入れ替えても良い。
【０１１４】
上述の実施形態では、例えば、フランジ締結工程Ｓ２２０の後に連結筒ユニット装着工程Ｓ２３０を行う場合について説明したが、ボルト２４０が連結筒ユニット３０と重ならないよう、メス型コネクタ２０のボルト挿入孔２３４ａが配置されているのであれば、フランジ締結工程Ｓ２２０よりも前に連結筒ユニット装着工程Ｓ２３０を行ってもよい。
【０１１５】
上述の第２実施形態では、メス型コネクタ２０のボルト挿入孔２３４ａは、ボルト２４０の一部が連結筒ユニット３０と重なる一方で、ボルト２４０の他部が連結筒ユニット３０よりも外側に露出するよう配置されている場合について説明したが、メス型コネクタ２０のボルト挿入孔２３４ａは、ボルト２４０の全体が連結筒ユニット３０と重なるよう配置されていてもよい。
【０１１６】
＜本発明の好ましい態様＞
以下、本発明の好ましい態様を付記する。
【０１１７】
（付記１）
電力ケーブルの端末に設けられオス型端子を有するオス型コネクタと接続されるメス型コネクタであって、
前記オス型端子と接続されるメス型端子と、
前記メス型端子の外周を覆うように設けられる筒状のブッシングと、
前記ブッシングに外嵌されるフランジと、
前記ブッシングの軸方向に沿って前記フランジに装着され、前記オス型コネクタが挿入されたときに、弾性力を利用して前記オス型コネクタを連結固定する連結筒ユニットと、
を有し、
前記フランジは、
前記ブッシングが軸方向に貫通して挿入されるブッシング挿入穴と、
前記ブッシング挿入穴の径方向に拡径した鍔部と、
前記鍔部に開設され、所定の固定箇所に該フランジをネジ締結するボルトが挿入されるボルト挿入孔と、
を有する
メス型コネクタ。
【０１１８】
（付記２）
前記ボルト挿入孔は、前記ボルトが該ボルト挿入孔内に挿入され、且つ、前記連結筒ユニットが前記フランジに装着されたときに、前記ブッシングの軸方向から見て、前記ボルトの少なくとも一部が前記連結筒ユニットと重なるよう配置される
付記１に記載のメス型コネクタ。
【０１１９】
（付記３）
前記ボルト挿入孔は、前記ボルトが該ボルト挿入孔内に挿入され、且つ、前記連結筒ユニットが前記フランジに装着されたときに、前記ブッシングの軸方向から見て、前記ボルトの一部が前記連結筒ユニットと重なる一方で、前記ボルトの他部が前記連結筒ユニットよりも外側に露出するよう配置される
付記２に記載のメス型コネクタ。
【０１２０】
（付記４）
前記ボルト挿入孔は、前記ボルトが該ボルト挿入孔内に挿入され、且つ、前記連結筒ユニットが前記フランジに装着されたときに、前記ブッシングの軸方向から見て、前記ボルトの中心軸が前記連結筒ユニットの外周面と一致するよう配置される
付記２又は３に記載のメス型コネクタ。
【０１２１】
（付記５）
前記ボルト挿入孔は、前記ボルトが該ボルト挿入孔内に挿入され、且つ、前記連結筒ユニットが前記フランジに装着されたときに、前記ブッシングの軸方向から見て、前記ボルトが前記連結筒ユニットと重ならないよう配置される
付記１に記載のメス型コネクタ。
【０１２２】
（付記６）
前記連結筒ユニットは、
前記ブッシングの軸方向に沿って前記フランジに連結され、ボール挿入孔が側面を貫通するように設けられる固定スリーブと、
前記ボール挿入孔内に設けられるボールと、
前記固定スリーブに内嵌され、該固定スリーブの軸方向に沿って摺動可能に設けられるスライドスリーブと、
前記フランジの一部に外嵌され、一端が前記フランジに係止され、他端が前記固定スリーブの軸方向に沿って前記フランジから離れる方向に前記スライドスリーブを弾性的に付勢する内側バネ部と、
前記固定スリーブに外嵌され、該固定スリーブの軸方向に沿って摺動可能に設けられ、前記ボールが嵌合するメス側嵌合溝が内周面に設けられる袋ナットと、
前記固定スリーブの一部に外嵌され、一端が前記固定スリーブに係止され、他端が前記固定スリーブの軸方向に沿って前記フランジから離れる方向に前記袋ナットを弾性的に付勢する外側バネ部と、
を有する
付記１〜５のいずれか１つに記載のメス型コネクタ。
【０１２３】
（付記７）
前記連結筒ユニット内に前記オス型コネクタが挿入されていないときに、
前記スライドスリーブは、前記内側バネ部の弾性力によって前記固定スリーブの前記ボール挿入孔と重なるよう配置され、前記ボールが前記固定スリーブよりも径方向の内側に突出することを規制し、
前記袋ナットは、前記外側バネ部の弾性力に反して前記フランジの前記鍔部側に配置され、前記メス側嵌合溝内に前記ボールが嵌合されることで、前記固定スリーブの軸方向に沿った摺動が規制されるよう構成される
付記６に記載のメス型コネクタ。
【０１２４】
（付記８）
前記連結筒ユニット内に前記オス型コネクタが挿入されるときに、
前記スライドスリーブは、前記オス型コネクタの当接によって前記内側バネ部の弾性力に反して前記フランジの前記鍔部側に移動することで、前記固定スリーブの前記ボール挿入孔からずれるよう配置され、前記ボールが前記固定スリーブよりも径方向の内側に突出することを許容し、
前記袋ナットは、前記メス側嵌合溝から前記ボールが外れることで、前記固定スリーブの軸方向に沿って前記フランジから離れる方向に移動し、前記ボールが前記固定スリーブよりも径方向の外側に突出することを規制し、
前記ボールは、前記オス型コネクタが有するオス側嵌合溝内に嵌合することで、前記オス型コネクタを連結固定する
付記６又は７に記載のメス型コネクタ。
【０１２５】
（付記９）
電力ケーブルの端末に設けられオス型端子を有するオス型コネクタと接続されるメス型コネクタであって、
前記オス型端子と接続されるメス型端子と、
前記メス型端子の外周を覆うように設けられる筒状のブッシングと、
前記ブッシングに外嵌されるフランジと、
一部が前記フランジと一体に設けられ、前記オス型コネクタが挿入されたときに、弾性力を利用して前記オス型コネクタを連結固定する連結筒ユニットと、
を有し、
前記フランジは、
前記ブッシングの径方向に拡径した鍔部と、
前記鍔部に開設され、所定の固定箇所に該フランジをネジ締結するボルトが挿入されるボルト挿入孔と、
を有し、
前記ボルト挿入孔は、前記ボルトが前記ボルト挿入孔に挿入されたときに、前記ブッシングの軸方向から見て、前記ボルトが前記連結筒ユニットと重ならないよう配置される
メス型コネクタ。
【０１２６】
（付記１０）
メス型コネクタと、電力ケーブルの端末に設けられオス型端子を有するオス型コネクタと、を接続するケーブル接続構造であって、
前記メス型コネクタは、
前記オス型端子と接続されるメス型端子と、
前記メス型端子の外周を覆うように設けられる筒状のブッシングと、
前記ブッシングに外嵌されるフランジと、
前記ブッシングの軸方向に沿って前記フランジに装着され、前記オス型コネクタが挿入されたときに、弾性力を利用して前記オス型コネクタを連結固定する連結筒ユニットと、
を有し、
前記フランジは、
前記ブッシングが軸方向に貫通して挿入されるブッシング挿入穴と、
前記ブッシング挿入穴の径方向に拡径した鍔部と、
前記鍔部に開設され、前記メス型コネクタの所定の固定箇所に該フランジをネジ締結するボルトが挿入されるボルト挿入孔と、
を有する
ケーブル接続構造。
【０１２７】
（付記１１）
ケーブル接続構造の製造方法であって、
電力ケーブルの端末に設けられオス型端子を有するオス型コネクタを準備する工程と、
前記オス型端子と接続されるメス型端子と、前記メス型端子の外周を覆うように設けられる筒状のブッシングと、前記ブッシングに外嵌されるフランジと、前記ブッシングの軸方向に沿って前記フランジに装着される連結筒ユニットと、を有するメス型コネクタを準備する工程と、
前記オス型コネクタを前記連結筒ユニット内に挿入し、弾性力を利用して前記オス型コネクタを前記連結筒ユニットに連結固定する工程と、
を有し、
前記メス型コネクタを準備する工程は、
前記フランジとして、前記ブッシングが軸方向に貫通して挿入されるブッシング挿入穴と、前記ブッシング挿入穴の径方向に拡径した鍔部と、前記鍔部に開設されるボルト挿入孔と、を有する部材を準備する工程と、
前記ブッシング挿入穴内に前記ブッシングを挿入し、前記フランジを前記ブッシングに外嵌させた状態で、前記ボルト挿入孔内にボルトを挿入し、所定の固定箇所に前記フランジをネジ締結する工程と、
を有する
ケーブル接続構造の製造方法。
【０１２８】
（付記１２）
前記フランジを準備する工程では、
前記ボルトが該ボルト挿入孔内に挿入され、且つ、前記連結筒ユニットが前記フランジに装着されたときに、前記ブッシングの軸方向から見て、前記ボルトの少なくとも一部が前記連結筒ユニットと重なるように、前記ボルト挿入孔を配置し、
前記メス型コネクタを準備する工程では、
前記フランジをネジ締結する工程の後に、前記連結筒ユニットを前記フランジに装着する工程を行う
付記１１に記載のケーブル接続構造の製造方法。
【符号の説明】
【０１２９】
１０  オス型コネクタ
２０  メス型コネクタ
３０  連結筒ユニット
４０  ケーブル接続構造
９０  電力機器
１００  電力ケーブル
１０１  ケーブル導体
１０２  ケーブル絶縁層
１０３  ケーブル遮蔽層
１０４  ケーブルシース
１１０  オス型端子
１１２  ロックリング
１２０  絶縁筒
１２０ａ  テーパ部
１２６  半導電性テープ
１２８  自己融着テープ
１３０  ゴム保護カバー
１４０  オス側スリーブ
１４０ａ  オス側嵌合溝
１９０  保護キャップ
２１０  メス型端子
２２０  ブッシング
２２０ａ  ブッシング鍔部
２３０  フランジ
２３１  ブッシング挿入穴
２３２  筒状部
２３２ａ  外ネジ
２３４  鍔部
２３４ａ  ボルト挿入孔
２４０  ボルト
２５０  無頭ネジ
３１０  固定スリーブ
３１０ａ  内ネジ
３１０ｂ  ボール挿入孔
３１０ｃ  ストッパ
３２０  ボール
３３０  スライドスリーブ
３３２  内側バネ部
３４０  袋ナット
３４０ａ  メス側嵌合溝
３４２  外側バネ部
９２０  ネジ穴
【図１】
2019169995.tif 000003
【図２】
2019169995.tif 000004
【図３】
2019169995.tif 000005
【図４】
2019169995.tif 000006